(57)【特許請求の範囲】
【請求項１】
サーバ装置と複数の再生装置とから成る番組選択システムであって、
前記サーバ装置は、複数の再生装置のそれぞれから、再生している番組を識別する番組識別情報と、前記再生している番組の開始からの経過時間を表す経過情報と、前記経過時間における前記再生している番組に対する視聴者の評価を表す評価情報と、前記視聴者の属性を表す属性情報とを取得する取得手段と、
前記取得手段で取得された評価情報を統合処理した結果を、属性情報に基づく種類ごとに、番組識別情報と、当該番組識別情報で示される番組のクローズドキャプション情報の解析、又は、当該番組の音声の解析を行うことにより得られる前記番組識別情報で示される番組を複数の部分に分割したコーナに関する情報と対応付けて記憶する記憶手段と、
特定の属性情報を示す情報を取得する特定属性取得手段と、
前記特定属性取得手段によって取得された情報から求められる属性情報に基づく種類と一致する前記記憶手段に記憶されている種類に、対応付けて記憶されている番組識別情報と、当該番組識別情報で示される番組の前記コーナを選択する選択手段と、
前記選択手段で選択された前記番組識別情報と、前記コーナに関する情報とを送出する送出手段とを備え、
前記再生装置は、番組を再生する手段と、番組を再生している間に、番組識別情報と経過情報と評価情報と属性情報とを前記サーバ装置に送出する手段と、
特定の属性情報を示す情報を送出する特定属性送出手段と、
前記特定属性送出手段で送出した特定の属性情報と関連し、前記選択手段で選択された番組識別情報および前記コーナに関する情報とを、前記サーバ装置から取得する番組取得手段と、
前記番組取得手段で取得した前記番組識別情報およびコーナに関する情報を、取得した各番組識別情報に対応付けられた結果に基づく順序で表示する表示手段とを備えることを特徴とする番組選択システム。
【請求項２】
番組を再生する再生手段と、
番組を再生している間に、
再生している番組を識別する番組識別情報と、前記再生している番組の開始からの経過時間を表す経過情報と、前記経過時間における前記再生している番組に対する視聴者の評価を表す評価情報と、前記視聴者の属性を表す属性情報とを、自装置及び他の再生装置から番組識別情報と経過情報と評価情報と属性情報とを収集する外部装置に送出する送出手段と、
前記送出手段で送出した属性情報と関連する、番組識別情報および当該番組識別情報で示される番組のクローズドキャプション情報の解析、又は、当該番組の音声の解析を行うことにより得られる前記番組識別情報で示される番組を複数の部分に分割したコーナに関する情報と、番組識別情報に対応付けられた評価情報と、前記外部装置が番組識別情報で示される番組の各コーナ毎に統合処理して得た結果とを、前記外部装置から取得する取得手段と、
前記取得手段で取得した前記番組識別情報およびコーナに関する情報を、取得した各番組識別情報に対応付けられた結果に基づく順序で表示する表示手段とを備えることを特徴とする番組再生装置。
【請求項３】
前記番組再生装置は、更に、前記表示手段で表示されている番組識別情報と前記コーナに関する情報とを選択し、再生の指示を取得する再生指示手段を有し、前記再生手段は、前記再生指示手段で選択した番組識別情報で識別される番組を、その番組の開始から前記再生指示手段で選択した前記コーナの開始時刻が示す時点より再生を開始することを特徴とする請求項２記載の番組再生装置。
【請求項４】
前記番組再生装置は、さらに、前記属性情報を表示する属性表示手段と、
前記属性表示手段で表示された属性を編集する属性編集手段と、
前記属性編集手段により編集された後の属性情報である編集属性情報を、前記外部装置に送出する編集属性送出手段とを有し、
前記取得手段は、前記編集属性送出手段で送出した編集属性情報と関連する、番組識別情報および経過情報と前記番組識別情報および経過情報と対応付けられた評価情報とを、前記外部装置から取得することを特徴とする請求項２記載の番組再生装置。
【請求項５】
前記属性表示手段は、属性情報を数値化して、グラフ表示することを特徴とする請求項４記載の番組再生装置。
【請求項６】
前記番組選択システムは、更に、チャットサーバを備え、
前記再生装置は、再生している番組についてチャットを行うチャットウィンドウと、
文字入力装置を有し、
前記チャットサーバは、再生している番組のチャットルームが開設されていない場合には、チャットルームを開設し、
前記評価情報は、前記チャットの会話量であることを特徴とする請求項１記載の番組選択システム。
【請求項７】
複数の再生装置のそれぞれから、再生している番組を識別する番組識別情報と、前記再生している番組の再生開始から経過時間を表す経過情報と、前記経過時間における前記再生している番組に対する視聴者の評価を表す評価情報と、前記視聴者の属性を表す属性情報とを取得する取得手段と、
前記取得手段で取得された評価情報を統合処理した結果を、属性情報に基づく種類ごとに、番組識別情報と、当該番組識別情報で示される番組のクローズドキャプション情報の解析、又は、当該番組の音声の解析を行うことにより得られる前記番組識別情報で示される番組を複数の部分に分割したコーナに関する情報とに対応付けて記憶する記憶手段と、
特定の属性情報を示す情報を取得する特定属性取得手段と、
前記特定属性取得手段によって取得された情報から求められる属性情報に基づく種類と一致する前記記憶手段に記憶されている種類に、対応付けて記憶されている番組識別情報と、当該番組識別情報で示される番組の前記コーナを選択する選択手段と、
前記選択手段で選択された番組識別情報と、前記コーナに関する情報とを送出する送出手段とを備えることを特徴とするサーバ装置。
【請求項８】
番組を再生する装置において用いられる番組表示方法であって、
番組を再生する再生ステップと、
再生している番組を識別する番組識別情報と、前記再生している番組の開始からの経過時間を表す経過情報と、前記経過時間における前記再生している番組に対する視聴者の評価を表す評価情報と、前記視聴者の属性を表す属性情報とを、自装置及び他の再生装置から番組識別情報と経過情報と評価情報と属性情報とを収集する外部装置に送出する送出ステップと、
前記送出ステップで送出した属性情報と関連する、番組識別情報および当該番組識別情報で示される番組のクローズドキャプション情報の解析、又は、当該番組の音声の解析を行うことにより得られる前記番組識別情報で示される番組を複数の部分に分割したコーナに関する情報と、番組識別情報に対応付けられた評価情報とを、前記外部装置が番組識別情報で示される番組の各コーナ毎に統合処理して得た結果とを、前記外部装置から取得する取得ステップと、
前記取得ステップで取得した前記番組識別情報およびコーナに関する情報を、取得した各番組識別情報に対応付けられた結果に基づく順序で表示する表示ステップとを含む
ことを特徴とする番組表示方法。
【請求項９】
番組を再生する装置に番組表示処理を行わせるためのコンピュータプログラムであって、
前記番組表示処理は、
番組を再生する再生ステップと、
再生している番組を識別する番組識別情報と、前記再生している番組の開始からの経過時間を表す経過情報と、前記経過時間における前記再生している番組に対する視聴者の評価を表す評価情報と、前記視聴者の属性を表す属性情報とを、自装置及び他の再生装置から番組識別情報と経過情報と評価情報と属性情報とを収集する外部装置に送出する送出ステップと、
前記送出ステップで送出した属性情報と関連する、番組識別情報および当該番組識別情報で示される番組のクローズドキャプション情報の解析、又は、当該番組の音声の解析を行うことにより得られる前記番組識別情報で示される番組を複数の部分に分割したコーナに関する情報と、番組識別情報に対応付けられた評価情報とを、前記外部装置が番組識別情報で示される番組の各コーナ毎に統合処理して得た結果とを、前記外部装置から取得する取得ステップと、
前記取得ステップで取得した前記番組識別情報およびコーナに関する情報を、取得した各番組識別情報に対応付けられた結果に基づく順序で表示する表示ステップとを含む
ことを特徴とするコンピュータプログラム。
【請求項１０】
サーバ装置に番組管理処理を行わせるためのコンピュータプログラムであって、
複数の再生装置のそれぞれから、再生している番組を識別する番組識別情報と、前記再生している番組の再生開始から経過時間を表す経過情報と、前記経過時間における前記再生している番組に対する視聴者の評価を表す評価情報と、前記視聴者の属性を表す属性情報とを取得する取得ステップと、
前記取得ステップで取得された評価情報を統合処理した結果を、属性情報に基づく種類ごとに、番組識別情報と、当該番組識別情報で示される番組のクローズドキャプション情報の解析、又は、当該番組の音声の解析を行うことにより得られる前記番組識別情報で示される番組を複数の部分に分割したコーナに関する情報とに対応付けて記憶する記憶ステップと、
特定の属性情報を示す情報を取得する特定属性取得ステップと、
前記特定属性取得ステップによって取得された情報から求められる属性情報に基づく種類と一致する前記記憶ステップで記憶された種類に、対応付けて記憶されている番組識別情報と、当該番組識別情報で示される番組の前記コーナを選択する選択ステップと、
前記選択ステップで選択された番組識別情報と、前記コーナに関する情報とを送出する送出ステップとを
含むことを特徴とするコンピュータプログラム。
【請求項１１】
番組を再生する再生装置の集積回路であって、
番組を再生する再生手段と、
番組を再生している間に、再生している番組を識別する番組識別情報と、前記再生している番組の開始からの経過時間を表す経過情報と、前記経過時間における前記再生している番組に対する視聴者の評価を表す評価情報と、前記視聴者の属性を表す属性情報とを、自装置及び他の再生装置から番組識別情報と経過情報と評価情報と属性情報とを収集する外部装置に送出する送出手段と、
前記送出手段で送出した属性情報と関連する、番組識別情報および当該番組識別情報で示される番組のクローズドキャプション情報の解析、又は、当該番組の音声の解析を行うことにより得られる前記番組識別情報で示される番組を複数の部分に分割したコーナに関する情報と、番組識別情報に対応付けられた評価情報とを、前記外部装置が番組識別情報で示される番組の各コーナ毎に統合処理して得た結果とを、前記外部装置から取得する取得手段と、
前記取得手段で取得した前記番組識別情報およびコーナに関する情報を、取得した各番組識別情報に対応付けられた結果に基づく順序で表示する表示手段とを備えることを備える
ことを特徴とする集積回路。
【請求項１２】
サーバ装置の集積回路であって、
複数の再生装置のそれぞれから、再生している番組を識別する番組識別情報と、前記再生している番組の再生開始から経過時間を表す経過情報と、前記経過時間における前記再生している番組に対する視聴者の評価を表す評価情報と、前記視聴者の属性を表す属性情報とを取得する取得手段と、
前記取得手段で取得された評価情報を統合処理した結果を、属性情報に基づく種類ごとに、番組識別情報と、当該番組識別情報で示される番組のクローズドキャプション情報の解析、又は、当該番組の音声の解析を行うことにより得られる前記番組識別情報で示される番組を複数の部分に分割したコーナに関する情報とに対応付けて記憶する記憶手段と、
特定の属性情報を示す情報を取得する特定属性取得手段と、
前記特定属性取得手段によって取得された情報から求められる属性情報に基づく種類と一致する前記記憶手段に記憶されている種類に、対応付けて記憶されている番組識別情報と、当該番組識別情報で示される番組の前記コーナを選択する選択手段と、
前記選択手段で選択された番組識別情報と、前記コーナに関する情報とを送出する送出手段とを備える
ことを特徴とする集積回路。
【発明の詳細な説明】
【技術分野】
【０００１】
本発明は、放送番組及び録画番組を視聴する際の、番組を選択するのに役立つ情報提供技術に関し、特に、嗜好に合った番組に関する情報を提供する技術に関する。
【背景技術】
【０００２】
近年、放送技術の発達に伴って、地上波放送のみならず、ＣＡＴＶ（Ｃａｂｌｅ  Ｔｅｌｅｖｉｓｉｏｎ）、衛星放送等によって、数多くのチャンネルで多種多様な番組が放送され、また、録画技術の発達により、大容量の記憶媒体に数多くの番組が自動的に録画されている。
このように、視聴できる番組が数多くある状況において、番組の映像・音声等と伴に送信されているＥＰＧ（Ｅｌｅｃｔｒｉｃ  Ｐｒｏｇｒａｍ  Ｇｕｉｄｅ）等の番組に関する情報を基に、視聴者の嗜好に合った番組や番組内のコーナを選択して提示および自動録画する技術がある。さらに、視聴者の視聴履歴からその視聴者の嗜好を見極めて、より嗜好に合った番組を選択して提示および自動録画する技術がある。
【０００３】
これらの技術により、数百、数千オーダー以上の番組の中から、視聴者は自分の嗜好に合った番組を高い確率で選ぶことが可能となっている。
【発明の開示】
【発明が解決しようとする課題】
【０００４】
しかし、これらの番組の選択は、視聴者の性別等の個人情報や、過去にどんなジャンルの番組を視聴したかといった視聴履歴情報を基に選択されることから、視聴履歴が大きく変化しなければ、選択される番組は似たような傾向の番組に固定化される可能性がある。
また、視聴したという事実と、その番組内容に関する評価とは別のものであることから、視聴履歴や個人情報のみに基づいた番組選択では、視聴者の嗜好を十分に反映したものとは言い難い。
【０００５】
そこで、本発明は、視聴者の嗜好をより反映し、推奨番組を選択し提示する番組選択システムの提供を目的とする。
【課題を解決するための手段】
【０００６】
上記課題を解決する為に、本発明の番組選択システムは、サーバ装置と複数の再生装置とから成る番組選択システムであって、前記サーバ装置は、複数の再生装置のそれぞれから、再生している番組を識別する番組識別情報と、前記再生している番組の開始からの経過時間を表す経過情報と、前記再生している番組に対する視聴者の評価を表す評価情報と、前記視聴者の属性を表す属性情報とを取得する取得手段と、前記取得手段で取得された評価情報を統合処理した結果を、属性情報に基づく種類ごとに、番組識別情報と経過情報とに対応付けて記憶する記憶手段と、特定の属性情報を示す情報を取得する特定属性取得手段と、前記特定属性取得手段によって取得された情報から求められる属性情報に基づく種類と一致する前記記憶手段に記憶されている種類に、対応付けて記憶されている番組識別情報と経過情報とを選択する選択手段と、前記選択手段で選択された前記番組識別情報および前記経過情報と、前記番組識別情報および前記経過情報と対応付けられた前記結果とを送出する送出手段とを備え、前記再生装置は、番組を再生する手段と、番組を再生している間に、番組識別情報と経過情報と評価情報と属性情報とを前記サーバ装置に送出する手段と、特定の属性情報を示す情報を送出する特定属性送出手段と、前記特定属性送出手段で送出した特定の属性情報と関連し、前記選択手段で選択された番組識別情報および経過情報と前記番組識別情報および経過情報と対応付けられた前記結果とを、前記サーバ装置から取得する番組取得手段と、前記番組取得手段で取得した前記番組識別情報および経過情報を、取得した前記結果に基づく順序で表示する表示手段とを備えることを特徴とする。
【発明の効果】
【０００７】
本発明に係る番組選択システムは、上述の構成を備えることにより、視聴者が番組を選択する際に、自分と嗜好等の属性が同じである他人が行った番組に対する評価を表示することができる。すなわち、視聴者は、自分がまだ視聴していない番組を視聴する前に、自分と嗜好等が似ている他人が既に視聴していれば、その番組についての評価を知ることができるのである。
【０００８】
従って、番組に対する評価、例えば、面白かった等の評価がわかる形式で番組名等を表示することで、より自分の嗜好等にあった番組を選択して視聴することができるようになる。
また、自分では選択しないであろうと思われる番組であっても、自分と嗜好等が同じ人が面白いと評価している番組を選択し、視聴することができるようになるので、番組選択の幅が広がり、嗜好に合った番組を見逃さずに視聴することができるようになる。
【０００９】
ここで、サーバ装置において、番組識別情報等を取得する取得手段は、図５のランキング作成部５４００および送受信部５７００により実現される。また、評価情報を統合処理した結果を記憶する記憶手段は、全ランキング情報記憶部５５００により実現され、特定の属性情報を示す情報を取得する特定情報取得手段は、ランキング情報抽出部５６００および送受信部５７００により実現され、番組識別情報等を選択する選択手段は、ランキング情報抽出部５６００により実現され、さらに、選択された番組識別情報等を送出する送出手段は、ランキング情報抽出部５６００および送受信部５７００により実現される。
【００１０】
また、再生装置において、番組を再生する手段は、図４の番組録画再生部１０２０により実現される。また、番組識別情報等をサーバ装置に送出する手段は、評価情報入力部１４００、プロファイル情報記憶部１５００、番組情報記憶部１６００および送受信部１９００により実現され、特定の属性情報を示す情報を送出する特定情報送出手段は、プロファイル情報記憶部１５００および送受信部１９００により実現され、選択された番組識別情報等をサーバ装置から取得する番組取得手段は、ランキング情報記憶部１７００および送受信部１９００により実現され、さらに、取得した番組識別情報等を表示する表示手段は、番組選択部１８００およびランキング表示部１２００により実現される。
【００１１】
また、本発明に係る番組再生装置は、番組を再生する再生手段と、番組を再生している間に、再生している番組を識別する番組識別情報と、前記再生している番組の再生開始からの経過時間を表す経過情報と、前記再生している番組に対する視聴者の評価を表す評価情報と、視聴者の属性を表す属性情報とを、自装置及び他の再生装置から番組識別情報と経過情報と評価情報と属性情報とを収集する外部装置に送出する送出手段と、前記送出手段で送出した属性情報と関連する、番組識別情報および経過情報と前記番組識別情報および経過情報と対応付けられた評価情報とを、前記外部装置から取得する取得手段と、前記取得手段で取得した前記番組識別情報および経過情報を、前記番組識別情報および経過情報に対応付けて記憶されている前記評価情報に基づく順序で表示する表示手段とを備えることを特徴とする。
【００１２】
本発明に係る番組再生装置は、この構成を備えることにより、視聴者は、視聴している番組に対する評価や自分の嗜好等の属性をサーバに送信し、さらに、自分と嗜好等の属性が同じである他人が行った番組に対する評価を受け取り、番組毎に判るような形式で番組名等を表示することができるので、より自分の嗜好にあった番組を選択することができるようになる。
【００１３】
また、同一の再生装置で番組に対する評価を行い、かつ、推奨番組を表示することができるので、より多くの視聴者の評価を集めることができるようになる。
また、前記番組再生装置は、更に、番組を記憶媒体に録画する録画手段を有し、  前記表示手段は、前記取得手段で取得された番組識別情報で識別される番組が、前記録画手段によって録画されている場合には、前記番組識別情報と録画されていることを示す録画情報とを表示することとしてもよい。
【００１４】
これにより、推奨番組の中で、自分の録画再生装置に録画されている番組を知ることができるので、録画されているか否かを探す手間をかけることなく、すぐに番組を視聴することができるようになる。
番組を記録媒体に録画する録画手段は、図４の番組録画再生部１０２０により実現される。
【００１５】
また、前記番組再生装置は、更に、前記表示手段で表示されている番組識別情報と経過情報とを選択し、再生の指示を取得する再生指示手段を有し、前記再生手段は、前記再生指示手段で選択した番組識別情報で識別される番組を、その番組の開始から前記再生指示手段で選択した経過情報が示す時点より再生を開始することとしてもよい。
これにより、推奨番組の中で、自分と嗜好等の属性が同じである他人が評価した部分を経過情報を基に知ることができるので、番組を最初から視聴することなく、評価の高かった部分から視聴することができるようになる。ここで言う部分とは、例えば、番組中のいわゆるコーナをいい、この場合の経過情報が示す時点とは、このコーナの開始時点をいう。
【００１６】
番組の再生の指示を取得する再生指示手段は、図４のユーザインターフェース部１０１０により実現される。
また、前記番組再生装置は、更に、前記属性情報を表示する属性表示手段と、  前記属性表示手段で表示された属性を編集する属性編集手段と、前記属性編集手段により編集された後の属性情報である編集属性情報を、前記外部装置に送出する編集属性送出手段とを有し、前記取得手段は、前記編集属性送出手段で送出した編集属性情報と関連する、番組識別情報および経過情報と前記番組識別情報および経過情報と対応付けられた評価情報とを、前記外部装置から取得することとしてもよい。
【００１７】
また、前記属性表示手段は、属性情報を数値化して、グラフ表示することとしてもよい。
これにより、自分のプロファイルと異なるプロファイルの視聴者が、どのような番組を評価しているのかを知ることができるので、自分の視聴傾向にとらわれずに、他人が評価した番組を視聴してみることができるようになり、番組の選択の幅が広がる。
【００１８】
属性情報を表示する属性表示手段および表示された属性を編集する属性編集手段は、図４のプロファイル情報表示編集部１１００により実現され、編集された属性情報を送出する編集属性送出手段はプロファイル情報記憶部１５００および送受信部１９００により実現される。
また、前記番組選択システムは、更に、チャットサーバを備え、前記再生装置は、再生している番組についてチャットを行うチャットウィンドウと、文字入力装置を有し、前記チャットサーバは、再生している番組のチャットルームが開設されていない場合には、チャットルームを開設し、前記評価情報は、前記チャットの会話量であることとしてもよい。
【００１９】
これにより、「今視聴している番組について他人と話したくなる」ような番組であることを、番組の評価とすることができる。すなわち、番組に対する単なる評価だけでなく、番組に対する関心度も評価に含めることができるので、より視聴傾向に合う番組を推奨することができるようになり、その結果、より嗜好にあった番組を選択することができるようになる。
【００２０】
チャットサーバは、図５のチャットサーバ部５９５０により実現され、チャットウィンドウは、図４のチャット表示部１９５０により実現される。文字入力装置はユーザインターフェース部１０１０または他の入力媒体により実現される。
また、本発明に係るサーバ装置は、複数の再生装置のそれぞれから、再生している番組を識別する番組識別情報と、前記再生している番組の再生開始からの経過時間を表す経過情報と、前記再生している番組に対する視聴者の評価を表す評価情報と、前記視聴者の属性を表す属性情報とを取得する取得手段と、前記取得手段で取得された評価情報を統合処理した結果を、属性情報に基づく種類ごとに、番組識別情報および経過情報と対応付けて記憶する記憶手段と、特定の属性情報を示す情報を取得する特定属性取得手段と、前記特定属性取得手段によって取得された情報から求められる属性情報に基づく種類と一致する前記記憶手段に記憶されている種類に、対応付けて記憶されている番組識別情報および経過情報を選択する選択手段と、前記選択手段で選択された前記番組識別情報および経過情報を送出する送出手段とを備えることを特徴とする。
【００２１】
また、本発明に係る番組を再生する装置において用いられる番組表示方法は、番組を再生する再生ステップと、番組を再生している間に、再生している番組を識別する番組識別情報と、前記再生している番組の再生開始からの経過時間を表す経過情報と、前記再生している番組に対する視聴者の評価を表す評価情報と、視聴者の属性を表す属性情報とを、自装置及び他の再生装置から番組識別情報と経過情報と評価情報と属性情報とを収集する外部装置に送出する送出ステップと、  前記送出ステップで送出した属性情報と関連する、番組識別情報および経過情報と前記番組識別情報および経過情報と対応付けられた評価情報とを、前記外部装置から取得する取得ステップと、前記取得ステップで取得した前記番組識別情報および経過情報を、前記番組識別情報および経過情報に対応付けて記憶されている前記評価情報に基づく順序で表示する表示ステップとを含むことを特徴とする。
【００２２】
また、本発明に係る番組を再生する装置に番組表示処理を行わせるためのコンピュータプログラムは、番組を再生する再生ステップと、番組を再生している間に、再生している番組を識別する番組識別情報と、前記再生している番組の再生開始からの経過時間を表す経過情報と、前記再生している番組に対する視聴者の評価を表す評価情報と、視聴者の属性を表す属性情報とを、自装置及び他の再生装置から番組識別情報と経過情報と評価情報と属性情報とを収集する外部装置に送出する送出ステップと、前記送出ステップで送出した属性情報と関連する、番組識別情報および経過情報と前記番組識別情報および経過情報と対応付けられた評価情報とを、前記外部装置から取得する取得ステップと、前記取得ステップで取得した前記番組識別情報および経過情報を、前記番組識別情報および経過情報に対応付けて記憶されている前記評価情報に基づく順序で表示する表示ステップとを含むことを特徴とする。
【００２３】
また、本発明に係るサーバ装置に番組管理処理を行わせるためのコンピュータプログラムは、複数の再生装置のそれぞれから、再生している番組を識別する番組識別情報と、前記再生している番組の再生開始からの経過時間を表す経過情報と、前記再生している番組に対する視聴者の評価を表す評価情報と、前記視聴者の属性を表す属性情報とを取得する取得ステップと、前記取得ステップで取得された評価情報を統合処理した結果を、属性情報に基づく種類ごとに、番組識別情報および経過情報と対応付けて記憶する記憶ステップと、特定の属性情報を示す情報を取得する特定属性取得ステップと、前記特定属性取得ステップによって取得された情報から求められる属性情報に基づく種類と一致する前記記憶ステップに記憶されている種類に、対応付けて記憶されている番組識別情報および経過情報を選択する選択ステップと、前記選択ステップで選択された前記番組識別情報および経過情報を送出する送出ステップとを含むことを特徴とする。
【００２４】
また、本発明に係る番組を再生する再生装置の集積回路は、番組を再生している間に、再生している番組を識別する番組識別情報と、前記再生している番組の再生開始からの経過時間を表す経過情報と、前記再生している番組に対する視聴者の評価を表す評価情報と、視聴者の属性を表す属性情報とを、自装置及び他の再生装置から番組識別情報と経過情報と評価情報と属性情報とを収集する外部装置に送出する送出手段と、前記送出手段で送出した属性情報と関連する、番組識別情報および経過情報と前記番組識別情報および経過情報と対応付けられた評価情報とを、前記外部装置から取得する取得手段と、前記取得手段で取得した前記番組識別情報および経過情報を、取得した前記評価情報に基づく順序で表示する表示手段とを備えることを特徴とする。
【００２５】
また、本発明に係るサーバ装置の集積回路は、複数の再生装置のそれぞれから、再生している番組を識別する番組識別情報と、前記再生している番組の再生開始からの経過時間を表す経過情報と、前記再生している番組に対する視聴者の評価を表す評価情報と、前記視聴者の属性を表す属性情報とを取得する取得手段と、
前記取得手段で取得された評価情報の統合処理した結果を、属性情報ごとに、番組識別情報と経過情報とに対応付けて記憶する記憶手段と、特定の属性情報を示す情報を取得する特定属性取得手段と、前記特定属性取得手段によって取得された情報から求められる属性情報に基づく種類と一致する前記記憶手段に記憶されている種類に、対応付けて記憶されている番組識別情報および経過情報を選択する選択手段と、前記選択手段で選択された前記番組識別情報および経過情報を送出する送出手段とを備えることを特徴とする。
【００２６】
これにより、本発明に係る再生装置およびサーバ装置を作成することができるので、本番組選択システムの構築が容易にできるようになる。
【発明を実施するための最良の形態】
【００２７】
＜概要＞
本発明に係る番組選択システムは、多くの視聴者の番組に対する評価と、その評価を下した視聴者の視聴傾向や個人情報であるプロファイルとを収集し、その結果を基に、ある視聴者の嗜好にあった番組を選択し、提示するものである。
すなわち、ある視聴者に対する推奨番組として、その視聴者のプロファイルと同じ様なプロファイルを持つ他の視聴者が、面白いと思った度合いが高かった番組を、その視聴者に対する推奨番組とする。
【００２８】
選択対象となる番組は、ある視聴者が視聴できる放送予定の番組および放送済みの番組である。
というのは、放送予定の番組は、再放送される場合や、地方によっては放送日時が遅れるものもあることから、過去に視聴した他の視聴者の評価を参考にすることができるからである。また、放送済みの番組は、自分の録画装置に記録されている場合には視聴が容易であり、またレンタルビデオやネット等を通じて視聴することが可能であるからである。
【００２９】
さらに、本システムは、視聴者のプロファイルをグラフで表示し、そのグラフへの編集を受け付け、編集後のプロファイルを持つ視聴者に対する推奨番組を表示することができる。すなわち、視聴者にとって、自分と異なるプロファイルをもつ視聴者が、どのような番組を評価しているかを知ることで、番組選択の幅が広がることになる。
またさらに、本システムは、同じ番組を視聴中の視聴者同士が、視聴中の番組についてチャットを行うことができる方法を提供し、そのチャットで交わされた会話の量を、その番組の評価とする。
【００３０】
＜構成＞
以下、本発明に係る番組選択システムについて、図1から図４を用いて説明する。
図１は、番組選択システムの全体図である。
録画再生装置１０００は、一般家庭内にあるような、いわゆる個人の録画再生装置である。放送局９０００からの信号８０００を受信し、録画等を行う。但し、通常の録画再生機能のほかに、ネットワーク機能が付加されている。
【００３１】
また、本録画再生装置１０００には、番組を表示する、いわゆるディスプレイが含まれているものとする。
次に、サービス提供装置５０００は、本システムのいわゆるサーバ装置である。このサービス提供装置５０００は、クライアントにあたる録画再生装置１０００からデータの収集、収集したデータの管理、加工等の処理、および録画再生装置１０００からの要求に応じてデータを送信する等の機能を有する。
【００３２】
複数の録画再生装置１０００は、ネットワーク４０００によってサービス提供装置５０００と結ばれている。
図２は、録画再生装置のディスプレイに表示される番組一覧画面である。
番組一覧画面２０００は、ディスプレイの画面よりも小さく、ディスプレイに映し出されている映像の上に重ねて表示される。
【００３３】
番組一覧画面２０００には、４つのサブ画面が表示されている。
すなわち、プロファイル画面２１００、番組ランキング画面２２００、録画予約画面２３００およびチャット画面２９５０である。
まず、プロファイル画面２１００には、視聴者のプロファイルが直感的に認識できるように、視覚的にグラフ表示されている。表示されているプロファイルのグラフは、視聴者自身が編集し、プロファイルを変更することも可能である。
【００３４】
番組ランキング画面２２００には、他の視聴者が面白いと評価した度合いが高い番組である推奨番組が、評価が高い順にランキング表示されている。
このランキング番組の日付の左側に、「録」と表示されているのは、このランキング番組が録画済みであることを意味している。また、番組名の右側に表示されている時間、例えば、番組名「日本の創業者」の右の「20:30」は、この番組の２０時３０分からが、他の視聴者の評価が最も高いことを示している。尚、録画済みの番組は、他の視聴者の評価が最も高かった時間から再生を開始することができる。例えば、番組名「日本の創業者」の場合、２０時３０分から放送されたところから再生することができる。
【００３５】
録画予約画面２３００は、今日以降の録画予定の番組一覧である。
ここでは、視聴者の今までの視聴履歴から導きだした嗜好に合った番組と、番組ランキング画面２２００に表示された番組であって再放送や続編等の番組とを表示する。
また、チャット画面２９５０は、いわゆるチャット画面である。現在再生している番組について、同じ番組を見ている他の視聴者とチャットを行う。
【００３６】
図３は、プロファイル画面２１００の表示例である。
視聴者の視聴履歴等から、番組の視聴傾向をグラフ化したものである。本実施形態では、多角形グラフで表示し、視聴する番組の傾向が高いものを中心点より離れるように表示している。例えば、このプロファイルの視聴者は、ビジネス系の番組を見る傾向が高いことになる。
【００３７】
図４は、録画再生装置の構成を示す機能ブロック図である。
録画再生装置１０００は、ユーザインターフェース部１０１０、番組録画再生部１０２０、プロファイル情報表示編集部１１００、ランキング表示部１２００、録画予約番組表示部１３００、評価情報入力部１４００、チャット表示部１９５０、プロファイル情報記憶部１５００、番組情報記憶部１６００、ランキング情報記憶部１７００、番組選択部１８００および送受信部１９００から構成される。
【００３８】
録画再生装置１０００の各機能は、録画再生装置１０００のメモリ又はハードディスク（図示していない。）に格納されているプログラムをＣＰＵが実行することにより実現される。
なお、図４に示すように番組選択部１８００、プロファイル情報記憶部１５００、ランキング情報記憶部１７００は、集積回路で構成されている。
【００３９】
録画再生装置１０００は、視聴者の番組視聴履歴を記録し、この履歴に応じて視聴者のプロファイルを更新する機能、および視聴者のプロファイルを基に、視聴者の嗜好に合う番組を自動的に選択し予約録画する機能を有するものとする。尚、これらの機能は図示していない。
ユーザインターフェース部１０１０および番組録画再生部１０２０は、通常の録画再生装置が有している機能を有している。ユーザインターフェース部１０１０は、リモコン等の通常の入力媒体からの入力受付機能を有し、番組再生部１０２０は、受信した番組を再生し、また録画する機能を有する。
【００４０】
次に、各記憶部について説明する。記憶している情報の詳細については、後の＜データ＞で、図６〜図１５を用いて説明する。
プロファイル情報記憶部１５００は、視聴者のプロファイル情報１５１０（図８参照）およびプロファイルグラフ情報１５２０（図１１参照）とを記憶する機能を有する。
ここで、記憶されているプロファイル情報１５１０は、この録画再生装置１０００の視聴者のプロファイル情報が１つのみである。例えば、家族構成等により、視聴者が複数いる場合は、複数のプロファイル情報が記憶され、状況に応じてプロファイルが選択されることとなるが、本実施形態では、視聴者は一人の場合を想定して説明する。
【００４１】
プロファイルグラフ情報１５２０は、視聴者のプロファイルをグラフ表示するための情報である。
次に、番組情報記憶部１６００は、放送局９０００から送られてくる放送予定の番組についての情報である番組情報９１００（図６参照）と、録画番組情報１６１０（図１５参照）とを記憶する機能を有する。
【００４２】
この番組情報９１００は、番組の放送日時や、番組のあらすじ、出演者等が番組の内容に応じて記載されている。また、今後放送予定の番組についてのみならず、過去に放送された番組についての番組情報も記憶している。尚、記憶している放送期間は、地域、記憶容量、視聴者の指示等によって定めることができるが、本実施形態では、先月の１日から、放送局から送られてきた放送予定の最後の日までとする。
【００４３】
録画番組情報１６１０は、録画済みの番組および録画予約されている番組の一覧である。
ランキング情報記憶部１７００は、推奨番組の一覧であるランキング情報１７１０（図１４参照）を記憶しておく機能を有する。
このランキング情報１７１０は、視聴者が番組一覧画面２０００の表示操作等を行った時に、サービス提供装置５０００に依頼して、送信してもらうものである。
【００４４】
次に、画面表示に関係する機能ブロックについて説明する。
まず、プロファイル情報表示編集部１１００は、プロファイル情報記憶部１５００に記憶している視聴者のプロファイル情報１５１０を読み出し、プロファイル画面２１００に表示する機能を有する。プロファイルの表示は、文字で表示することも可能であるが、直感的に視覚で認識できるように、本実施形態では、図形を用いて表示する（図３参照）。具体的には、プロファイル情報記憶部１５００に記憶されているプロファイルグラフ情報１５２０の中から、視聴者のプロファイルタイプに該当する情報を選んで、６角形の多角形グラフを表示する。
【００４５】
また、プロファイル情報表示編集部１１００は、表示したプロファイルの編集を受け付ける機能を有する。例えば、図３に示すようなグラフの場合、項目の値をテレビのリモコン等のよって変更し、折れ線の形状、すなわちプロファイルを変えることができる。
次に、ランキング表示部１２００は、視聴者に推奨する番組を順序付けして、番組ランキング画面２２００に表示する機能を有する。
【００４６】
ここで表示する推奨番組は、ランキング情報記憶部１７００に記憶しているランキング情報１７１０を基に、番組選択部１８００が取捨選択し、順序付けしたものである。これを、ランキング表示部１２００が受け取り表示する。
録画予約番組表示部１３００は、録画予定の番組を録画予約画面２３００に表示する機能を有する。また、視聴者の指示により、追加削除を行う機能も有する。
【００４７】
ここで表示する録画予約番組は、番組情報記憶部１６００に記憶されている録画番組情報１６１０を、録画予約番組表示部１３００が読み出し、選択した番組である。
評価情報入力部１４００は、再生している番組に対する視聴者の評価の入力を受け付ける機能を有する。
評価の入力方法は、専用のボタン装置を外付けする等いろいろあるが、本実施形態では、テレビのリモコンの特定のキーを押下することで、視聴者の評価を入力することとする。
【００４８】
また、評価の種類についても、様々なものが考えられるが、本実施形態では、番組に対する良い評価を対象とする。例えば、視聴者が、番組を面白いと感じたり、価値ある情報であると思ったりした時に、該当するキーを押下する。また、面白い等と感ずる度合いが高ければ、その度合いに応じて、キーを押下する回数を増やすものとする。
番組選択部１８００は、２つの機能を有する。１つは、他の視聴者の評価が高かった番組を選択する機能であり、もう１つは、視聴者の嗜好に合った放送予定の番組を選択し録画予約する機能である。
【００４９】
まず、１つめの機能である、他の視聴者の評価が高かった番組の選択は、番組選択部１８００が、ランキング情報記憶部１７００に記憶されているランキング情報１７１０を読み出し、視聴者のプロファイルに合致するランキング情報を選択することで行われる。
選択されたランキング情報の中の番組が、録画再生装置１０００に録画されている番組であれば、録画済みである旨の情報と供に、ランキング表示部１２００に渡す。
【００５０】
２つめの、視聴者の嗜好に合った放送予定の番組の選択は、視聴者のプロファイルを基に自動的に選択されたところの視聴者の嗜好に合う番組と、ランキング情報記憶部１７００から読み出したランキング情報１７１０の番組であって、放送予定の番組である番組とを選択することで行われる。ここで選択された番組を録画予約し、録画番組情報１６１０を作成する。
【００５１】
次に、送受信部１９００は、サービス提供装置５０００と、データのやり取りを行う機能を有する。
チャット表示部１９５０は、チャット画面２９５０を表示し、登録メンバーの会話を表示する機能を有する。
また、文字入力媒体として、本実施形態では、キーボードを使用する事ができるものとする。
【００５２】
図５は、サービス提供装置の構成を示す機能ブロック図である。
サービス提供装置５０００は、全プロファイル情報記憶部５１００、プロファイル情報収集部５２００、ランキング作成部５４００、全ランキング情報記憶部５５００、ランキング情報抽出部５６００、番組情報記憶部５８００、送受信部５７００およびチャットサーバ部５９５０から構成される。
【００５３】
サービス提供装置５０００の各機能は、サービス提供装置５０００のメモリ又はハードディスク（図示していない。）に格納されているプログラムをＣＰＵが実行することにより実現される。
なお、図５に示すようにランキング作成部５４００、全ランキング情報記憶部５５００、ランキング情報抽出部５６００は、集積回路で構成されている。
【００５４】
まず、各記憶部について説明する。記憶している情報の詳細については、後の＜データ＞において説明する。
全プロファイル情報記憶部５１００は、視聴者全員のプロファイル情報１５１０、プロファイルタイプ情報５１５０（図９参照）、プロファイルタイプ一覧表５１６０（図１０参照）、およびプロファイルグラフ情報１５２０（図１１参照）とを記憶する機能を有する。
【００５５】
ここで、記憶されているプロファイル情報１５１０は、録画再生装置１０００のプロファイル情報記憶部１５００に記憶されているプロファイル情報と同じである。異なるのは、録画再生装置１０００には、その視聴者のプロファイル情報が１つ記憶されていたが、サービス提供装置５０００には全ての視聴者のプロファイル情報が数多く記憶されている点である。
【００５６】
また、プロファイルタイプ情報５１５０とは、プロファイルをその特徴別に、タイプ分けをするための表である。視聴者は、そのプロファイル内容に応じて、いずれかのタイプに分類されている。
プロファイルタイプ一覧表５１６０は、視聴者の識別番号であるユーザＩＤとその視聴者のプロファイルタイプとを対応づけた一覧表である。
【００５７】
プロファイルグラフ情報１５２０は、録画再生装置１０００のプロファイル情報記憶部１５００に記憶されているプロファイルグラフ情報と同じである。
次に、番組情報記憶部５８００は、放送局９０００から送られてくる放送予定の番組についての情報である番組情報９１００を記憶する他、各番組のコーナ情報９２００を記憶する機能を有する。
【００５８】
ここで記憶している番組情報９１００は、録画再生装置１０００の番組情報記憶部１６００に記憶されている番組情報と同じである。
コーナ情報９２００とは、番組を複数の意味ある部分に分割した情報であり、その１つの部分をコーナと呼ぶ。コーナは、番組の映像等とともに送信されてくるクローズドキャプション情報の解析、番組の音声からキーワードの抽出・解析等により、求められる。
【００５９】
全ランキング情報記憶部５５００は、全番組の評価である全ランキング情報５５１０を記憶しておく機能を有する。
この全ランキング情報５５１０は、放送されたすべての番組に対する視聴者の評価を記憶しているものであり、番組内のコーナごとの評価も記憶されている。
次に、プロファイル情報収集部５２００は、録画再生装置１０００から、プロファイル情報１５１０が送信されてきたときに、全プロファイル情報記憶部５１００に記憶されているプロファイル情報のなかでユーザＩＤが同じものを更新する機能を有する。この際、新しいプロファイルがどのタイプに分類されるかを判断し、プロファイル情報１５１０およびプロファイルタイプ一覧表５１６０を修正する。
【００６０】
録画再生装置１０００からプロファイルが送信されるのは、録画再生装置１０００のプロファイル情報記憶部１５００に記憶するプロファイル情報が更新されたときである。録画再生装置１０００のプロファイル情報が更新される場合とは、視聴履歴を基に、自動的に更新される場合と、視聴者が自ら更新を指示する場合とがある。
ランキング作成部５４００は、録画再生装置１０００から送信されてきた評価情報１４１０（図１２参照）を基に、全ランキング情報５５１０を作成する機能を有する。
【００６１】
番組のコーナごとに、プロファイルタイプごとの評価を集計する。集計結果は、全ランキング情報記憶部５５００に、適時、書き込まれる。
ランキング情報抽出部５６００は、録画再生装置１０００からの要求に応じて、全ランキング情報記憶部５５００から情報を抽出し、抽出結果を録画再生装置１０００に送信する機能を有する。
【００６２】
ここで、録画再生装置１０００からの要求とは、抽出する番組の放送された期間を限定する場合や、番組のジャンルを限定する場合、プロファイルを限定する場合等様々な要求が可能であるが、本実施形態では、番組の放送された期間を限定するものとする。
次に、送受信部５７００は、録画再生装置１０００と、データのやり取りを行う機能を有する。
【００６３】
チャットサーバ部５９５０は、いわゆるチャットサーバの機能を有する。
すなわち、チャットに登録されているメンバーの発言を、登録メンバー全てに送信するなどの処理を行う。
＜データ＞
以下、本番組選択システムで用いる主なデータについて、図６〜図１５を用いて説明する。
【００６４】
図６は、番組情報の構成及び内容例を示す。
現在、放送番組情報は、テレビ局から送られてくる放送番組表やケーブルテレビ局から送られてくる放送番組表、またはフロッピディスクなどの記憶媒体を使って配布された番組情報等様々なものが存在するが、本実施形態では、番組情報９１００は、放送局９０００から文字放送等を使って送られてきた、放送予定の番組の一覧であるとする。
【００６５】
この情報は、サービス提供装置５０００の番組情報記憶部５８００および録画再生装置１０００の番組情報記憶部１６００に記憶されている情報である。
番組情報９１００は、番組ＩＤ９１０１、放送日９１０２、放送開始時刻９１０３、放送終了時刻９１０４、チャンネル９１０５、ジャンル９１０６、タイトル９１０７、および番組内容９１０８で構成される。
【００６６】
番組ＩＤ９１０１は、放送される番組の識別番号であり、原則として、同じ番組名の番組には同じ番号が振られている。但し、同じ番組名でも、毎回内容の異なる、ニュース等の番組には、毎回異なる番号が振られ、再放送の場合には、同じ番号が振られている。
放送日９１０２は、番組の放送される日を表し、放送開始時刻９０１３および放送終了時刻９１０４は、それぞれ番組の放送が開始される時刻と終了する時刻を表している。
【００６７】
また、チャンネル９１０５は、その録画再生装置１０００が放送を受信している地域での放送チャンネルを表す。
ジャンル９１０６は、番組内容のジャンルを表したものである。
タイトル９１０７は、番組の番組名を表したものである。このタイトルが、番組一覧画面に表示されることになる。
【００６８】
番組内容９１０８は、番組の内容を表したものである。その番組の、あらすじや登場人物、出演者などが記載されている。
例えば、番組ＩＤ９１０１が「005124」の番組は、2004年3月10日に、255チャンネルで、20時00分から23時00分までの間放送され、タイトルは「日本の創業者」であり、内容は「国際的企業に育てた創業者」に関するものであることがわかる。
【００６９】
放送日９１０２からチャンネル９１０５は、おもに番組を録画する際に必要な情報であり、ジャンル９１０６から番組内容９１０８は、おもに視聴者の嗜好を見極める際に参照する情報である。
次に、図７は、コーナ情報の構成及び内容例を示す。
このコーナ情報は、放送された番組毎に存在しているものである。
【００７０】
また、この情報は、サービス提供装置５０００の番組情報記憶部５８００に記憶されているものであり、録画再生装置１０００の番組情報記憶部１６００では記憶されていない。
コーナ情報９２００は、番組ＩＤ９１０１、コーナ番号９２０１、コーナ開始時間９２０２およびコーナコメント９２０３で構成される。
【００７１】
番組ＩＤ９１０１は、番組情報９１００の番組ＩＤと同じものである。
コーナ番号９２０１は、番組ＩＤ９１０１で表される番組の中のコーナを識別する為の番号である。従って、同一番組ＩＤの中には、同一のコーナ番号のコーナは存在しない。
コーナ開始時間９２０２は、コーナが開始された時間であり、番組の開始時刻からの相対時間で表されている。
【００７２】
また、コーナコメント９２０３は、コーナに関するキーワードが記載されている。ここには、番組をコーナに分割する際に検索するキャプションのなかのキーワードなどが記載される。
例えば、番組ＩＤが「005124」の番組の、コーナ番号「002」は、番組開始から「00:30:00」すなわち３０分経過後から開始され、「Ｃ下  Ｄ之助」に関するものであることがわかる。
【００７３】
次に、図８は、プロファイル情報の構成及び内容例を示す。
プロファイル情報１５１０は、項目１５１１と内容１５１２で構成される。
このプロファイル情報１５１０は、視聴者の属性を表す情報であり、視聴者の性別などの個人的な情報のほか、どのような番組をよく見ているかという視聴傾向の情報も含まれている。
【００７４】
例えば、ユーザＩＤが「U000110」の視聴者は、３１歳の男性であるなどの個人情報と、録画する番組のジャンルは「社会・報道」の番組が1番多く、評価を送信する頻度が一番多い番組のジャンルは「スポーツ」であるなどの視聴傾向を有することがわかる。
この視聴傾向は、録画再生装置１０００において、視聴履歴に基づいて自動的に更新される。録画再生装置１０００のプロファイル情報１５１０が更新された場合には、適時、サービス提供装置５０００に送られ、サービス提供装置５０００に記憶されているプロファイル情報も自動的に更新される。すなわち、ある視聴者について、録画再生装置１０００とサービス提供装置５０００との双方に、同じ内容のプロファイル情報が記憶されている。
【００７５】
但し、項目１５１１「プロファイルタイプ」の内容１５１２は、サービス提供装置５０００が決定し、録画再生装置１０００に送信する。プロファイルタイプを受け取った録画再生装置は、プロファイル情報１５１０の項目「プロファイルタイプ」の内容を更新する。
図９は、プロファイルタイプ情報の構成及び内容例を示す。
【００７６】
プロファイルタイプ情報５１５０は、視聴者のプロファイルの内容を基に、タイプ分けの基準を示したものである。本実施形態では、２０種類のタイプに分けるものとする。
プロファイルタイプ情報５１５０は、プロファイルタイプ５１５１および項目５１５２で構成されている。例えば、プロファイルタイプが「P01」に分類されるのは、性別が「女性」、年齢が「20-29」歳、録画ジャンルが「社会・報道」の番組が1番多いなどである。
【００７７】
視聴者をタイプ分けするのは、同じようなプロファイルを持つ視聴者が面白いと感じる番組を選ぶためである。
このプロファイルタイプ情報５１５０は、サービス提供装置５０００の全プロファイル情報記憶部５１００にのみ記憶されている。
次に、図１０は、プロファイルタイプ一覧表の構成及び内容例を示す。
【００７８】
プロファイルタイプ一覧表５１６０は、視聴者のユーザＩＤ５１６１とプロファイルタイプ５１５１を対応付けた一覧表である。
視聴者が、番組に対する評価を送信してくる際などに、その視聴者のプロファイルタイプを簡単に求めるために使用する。
このプロファイルタイプ一覧表５１６０は、サービス提供装置５０００の全プロファイル情報記憶部５１００にのみ記憶されている。
【００７９】
図１１は、プロファイルグラフ情報の構成及び内容例を示す。
プロファイルグラフ情報１５２０は、視聴者のプロファイルをプロファイル画面２１００に表示する際に、プロファイル情報表示編集部１１００が参照する。
プロファイルグラフ情報１５２０は、プロファイルタイプ５１５１と、各項目１５２１から構成され、各項目１５２１は、プロファイル画面２１００に表示されるグラフの項目に対応している。
【００８０】
例えば、図３のプロファイル画面の表示例で表されているグラフは、プロファイルタイプ５１５１が「P05」のグラフである。項目の値は、「0」（中心点）から「100」であるとする。
図１１の例で言えば、プロファイルタイプ「P01」の視聴者は、ラブロマンス系が「80」で、ドキュメント系は「10」である。この数値は、それぞれの種類の番組を見る傾向を数値化したものであり、この数値化の方法は様々あるが、本実施形態では、視聴履歴から平均して週に１本の番組を見る毎に１０加算されるとし、最高１００とする。従って、プロファイルタイプ「P01」の視聴者は、ラブロマンス系の番組を週に８本視聴し、ドキュメント系の番組は週に１本視聴するような傾向にあることがわかる。
【００８１】
プロファイルグラフ情報１５２０は、録画再生装置１０００のプロファイル情報記憶部１５００と、サービス提供装置５０００の全プロファイル情報記憶部５１００とに記憶されている。
次に、図１２は、評価情報の構成及び内容例を示す。
評価情報１４１０は、録画再生装置１０００の評価情報入力部１４００が視聴者から評価を受け取ったとき、すなわち、視聴者が見ている番組を面白いと感じて、リモコンの該当キーを押下したときに、録画再生装置１０００からサービス提供装置５０００に送信される情報である。
【００８２】
評価情報１４１０は、ユーザＩＤ５１６１、番組ＩＤ９１０１、開始後時間１４１３および面白ボタン押下回数１４１４で構成される。
ユーザＩＤ５１６１は、視聴者を識別する番号であり、番組を視聴していて面白ボタンを押下した者を表す。
また、番組ＩＤ９１０１は、番組を識別する番号であり、面白ボタンが押下されたときに再生していた番組を表す。  
【００８３】
開始後時間１４１３は、番組ＩＤ９１０１で表される番組、すなわち再生していた番組の再生開始からの相対時間である。番組内のコーナを求める際に参照する。
面白ボタン押下回数１４１４は、ユーザＩＤ５１６１で表される視聴者が、ボタンを押下した回数を表す。押下の間隔が一定時間内であれば、連続してカウントするものとする。この押下回数を累計し、その累計した数によって、番組のランキングをつけることになる。
【００８４】
例えば、図１２は、ユーザＩＤが「U000110」の視聴者は、番組ＩＤが「005124」の番組が始まってから、「00:45:30」、４５分３０秒経過したときに、面白ボタンを「5」回押下したことを表す。
図１３は、全ランキング情報の構成及び内容例を示す。
全ランキング情報５５１０は、番組のコーナ再生中に面白ボタンの押下された回数を、プロファイルタイプごとにまとめたものである。
【００８５】
全ランキング情報５５１０は、プロファイルタイプ５１５１と、番組ＩＤ・コーナ番号５５１２で構成される。
例えば、番組ＩＤが「000111」で表される番組の、コーナ番号が「001」で表されるコーナ再生中に、視聴者が面白ボタンを押下した回数は、プロファイルタイプが「P01」の視聴者は「3200」回、「P02」の視聴者は「30」回である。すなわち、このコーナをより面白いと感じたのは、プロファイルタイプが「P01」の視聴者であることがわかる。
【００８６】
この全ランキング情報５５１０は、サービス提供装置５０００の全ランキング情報記憶部５５００にのみ記憶されている。
また、番組が放送されてから時間が経過するにつれて、集計されるボタンの押下回数も増え続けることから、放送後一定期間経過したら全ランキング情報から削除することとする。本実施形態の場合、一ヶ月とする。
【００８７】
図１４は、ランキング情報の構成及び内容例を示す。
ランキング情報１７１０は、プロファイルタイプごとに、面白ボタンの押下回数が多い順に、番組ＩＤおよびその番組のコーナをまとめたものである。
ランキング情報１７１０は、プロファイルタイプ５１５１、番組ＩＤ９１０１、番組押下回数１７１１、コーナ番号９２０１、コーナ押下回数１７１２およびコーナ開始時刻１７１３で構成される。
【００８８】
番組押下回数１７１１は、番組中に面白ボタンが押下された回数の累計で、コーナ押下回数１７１２は、コーナ中に面白ボタンが押下された回数の累計である。  
また、コーナ開始時刻１７１３は、コーナの放送が開始される実際の時刻をいい、番組の放送開始時刻とコーナ開始時間とを加算することで求められる。このコーナ開始時刻は、番組ランキング画面２２００にランキング番組を表示する際に、番組名と伴に表示する。
【００８９】
例えば、プロファイルタイプ５１５１が「P01」の欄において、番組ＩＤ９１０１「000111」の番組を視聴中に押下した番組押下回数１７１１は「15000」回であり、「P01」の視聴者にとって、番組ＩＤ「000111」の番組が最も面白かった番組であることがわかる。同様に、その番組のコーナ視聴中にボタンを押下したコーナ押下回数１７１２が「4000」回と最も多い、コーナ番号９２０１「030」のコーナが最も面白かったことがわかる。そして、その最も面白かったコーナは、コーナ開始時刻１７１３が「19:55:00」、すなわち１９時５５分から始まる。
【００９０】
このランキング情報１７１０は、録画再生装置１０００からの依頼により、サービス提供装置５０００のランキング情報抽出部５６００によって作成され、録画再生装置１０００に送られたものである。
この依頼は、対象となる番組の放送期間、例えば、今日より前後３０日の期間に放送済または放送予定の番組を対象とする旨を指定して行う。
【００９１】
このランキング情報１７１０は、録画再生装置１０００のランキング情報記憶部１７００にのみ記憶されている。
次に、図１５は、録画番組情報の構成及び内容例を示す。
録画番組情報１６１０は、録画されている番組と録画予約されている番組の情報である。
【００９２】
録画予約番組表示１３００は、番組情報記憶部１６００に記憶されている録画番組情報１６１０を読み出し、録画予約画面２３００に予約番組の一覧を表示する。また、番組選択部１８００は、ランキング表示部１２００に表示する番組が、録画済であるか否かを判断する際に参照する。
この録画番組情報１６１０は、録画再生装置１０００の番組情報記憶部１６００にのみ記憶されている。
【００９３】
＜動作＞
以下、上述した番組選択システムの動作について図１６〜図１８を用いて説明する。
図１６は、視聴者が面白ボタンを押下し、番組のランキングに反映されるまでの処理を示す。
この処理は、各視聴者が面白ボタンを押下すると行われる処理であり、番組およびコーナごとに、ボタンの押下回数を累計する。
【００９４】
録画再生装置１０００において、番組の再生を開始する（ステップＳ１０）。具体的には、視聴者の指示を検出したユーザインターフェース部１０１０が、番組録画再生部１０２０に指示を出し、指示を受けた番組録画再生部１０２０が番組を再生する。
本実施形態で言う再生には、録画されている番組を再生する場合のみならず、放映されている番組を受信し再生する場合も含まれる。
【００９５】
視聴者は、再生している番組を視聴し、面白いと思った時に、リモコンの面白ボタンを押下する（ステップＳ１１）。
面白ボタンが押下されたことを認識した評価情報入力部１４００は、評価情報１４１０を作成する（図１２参照）。ユーザＩＤ５１６１には、プロファイル情報記憶部１５００に記憶されているプロファイル情報１５１０のユーザＩＤの内容を用いる。番組ＩＤ９１０１には、番組情報記憶部１６００に記憶されている番組情報９１００から、現在の日時およびチャンネルから番組ＩＤを求め、設定する。開始後時間１４１３は、現在の時刻と番組情報９１００の放送開始時刻９１０３とから差分を求め設定する。また、面白ボタン押下回数は、所定時間の間隔を区切りとして押下回数をカウントし設定する。
【００９６】
評価情報１４１０を作成した評価情報入力部１４００は、作成した評価情報１４１０を、送受信部１９００を介して、サービス提供装置５０００の送信する（ステップＳ１２）。
録画再生装置１０００から送信されてきた評価情報１４１０を受信したサービス提供装置５０００は、送受信部５７００を介して、ランキング作成部５４００に渡す。
【００９７】
評価情報１４１０を受け取ったランキング作成部５４００は、受け取った評価情報１４１０を基に、全ランキング情報記憶部５５００に記憶されている全ランキング情報５５１０を更新する（ステップＳ１３、図１３参照）。
まず、評価情報１４１０のユーザＩＤ５１６１から、プロファイルタイプ５１５１を求める。この際、全プロファイル情報記憶部５１００に記憶されているプロファイルタイプ一覧表５１６０を参照する。例の場合、ユーザＩＤ５１６１が「U000110」であるから、プロファイルタイプ５１５１は「P05」となる。
【００９８】
次に、評価情報１４１０の番組ＩＤ９１０１と開始後時間１４１３とから、コーナ番号を求める。この際、番組情報記憶部５８００に記憶されている番組情報９１００とコーナ情報９２００とを参照する。例で言えば、番組ＩＤが「005124」の番組が開始されてから、開始後時間１４１３「00:45:30」経過していることから、コーナ情報９２００のコーナ開始時間９２０２を参照すると、開始後時間である４５分３０秒が入っているコーナ番号９２０１は、「002」となる。
【００９９】
従って、全ランキング情報５５１０の、プロファイルタイプ５１５１が「P05」、番組ＩＤが「005124」、コーナ番号が「002」の欄の値に、評価情報１４１０の面白ボタン押下回数１４１４の「5」を加算する。すなわち、該当する欄の値は、「350」から「355」に更新される。
図１７は、番組一覧画面２０００を表示し、プロファイルを編集して番組ランキング画面２２００を再表示させる処理を示す。
【０１００】
まず、視聴者が、録画再生装置１０００に対して、番組一覧画面２０００を表示する旨の指示を出す（ステップＳ４０）。例えば、リモコンで、該当するボタンを押下する。
番組一覧画面２０００の表示指示を受け付けた録画再生装置１０００は、ランキング情報１７１０（図１４参照）の送信要求をサービス提供装置５０００に対して、送受信部１９００を介して送信する（ステップＳ４１）。この送信要求を送る際、要求する期間を指定する。例えば、今日が３月１０日であるとすると、２月１１日から３月１７日までのように指定する。この指定期間は、固定であってもよいし、また視聴者が指定することとしてもよい。
【０１０１】
録画再生装置１０００から、送受信部５７００を介して、ランキング情報１７１０の送信要求を受けたサービス提供装置５０００は、ランキング情報抽出部５６００に番組の抽出要求を出す。
抽出要求を受けたランキング情報抽出部５６００は、全ランキング情報記憶部５５００に記憶されている全ランキング情報５５１０（図１３参照）から、プロファイルタイプ別に、押下回数の多い番組と、その番組中で押下回数の多いコーナを求める。
【０１０２】
このように求めた番組の番組ＩＤと、コーナ番号を、プロファイルタイプ別にまとめ、ランキング情報１７１０を作成する（ステップＳ４２）。
この際、録画再生装置１０００からランキング情報１７１０の送信要求で指定された期間に、放送されている番組のみをランキング情報１７１０に記載する。この判断は、番組情報記憶部５８００に記憶されている番組情報９１００（図６参照）を用いて行う。例えば、番組ＩＤ「005124」の番組が抽出されたとすれば、放送日は「2004/03/10」であるので、ランキング情報１７１０に記載することとなる。
【０１０３】
また、コーナ開始時刻１７１３を求め、ランキング情報１７１０に記載する。コーナ開始時刻１７１３は、放送開始時刻９１０３とコーナ開始時間９２０２（図７参照）を加算して求める。
サービス提供装置５０００は、ランキング情報抽出部５６００が作成したランキング情報１７１０を、録画再生装置１０００に送信する（ステップＳ４３）。
【０１０４】
サービス提供装置５０００から、ランキング情報１７１０を受け取った録画再生装置１０００は、受け取ったランキング情報をランキング情報記憶部１７００に渡し、記憶を依頼する。
ランキング情報記憶部１７００は、受け取ったランキング情報１７１０を記憶する。
ランキング情報が記憶された後、録画再生装置１０００は、番組一覧画面のウィンドウを作成し、プロファイル情報表示編集部１１００、ランキング表示部１２００、録画予約番組表示部１３００およびチャット表示部１９５０に対し、それぞれ表示依頼をする（ステップＳ４４）。
【０１０５】
表示依頼を受けたプロファイル情報表示編集部１１００は、プロファイル情報記憶部１５００に記憶されているプロファイルグラフ情報１５２０（図１１参照）をもとに、グラフを作成し、プロファイル画面２１００表示する（図３参照）。
視聴者のプロファイルタイプは、プロファイル情報記憶部１５００に記憶されているプロファイル情報１５１０（図８参照）の項目「プロファイルタイプ」の内容を参照する。
【０１０６】
次に、表示依頼を受けたランキング表示部１２００は、番組選択部１８００に対し、視聴者のプロファイルタイプに該当する番組を要求する。
要求を受けた番組選択部１８００は、視聴者のプロファイルタイプに該当する番組をランキング情報記憶部１７００のランキング情報１７１０から選択し、ランキング表示部１２００に渡す。具体的には、ランキング表示する番組の番組ＩＤ９１０１、コーナ開始時刻１７１３を渡す。また、ランキング表示部で表示する番組が、録画されている場合には、その旨もランキング表示部１２００に渡す。
【０１０７】
ランキング表示する番組の番組ＩＤ等を受け取ったランキング表示部は、番組ＩＤから、放送日、番組名、放送開始時間、コーナ開始時刻、録画済マーク等をランキング画面２２００に表示する。
視聴者のプロファイルタイプは、プロファイル情報１５１０の項目「プロファイルタイプ」の内容を参照する。
【０１０８】
番組が録画されているか否かは、番組情報記憶部１６００に記憶されている録画番組情報１６１０（図１５参照）を参照し、判断する。録画予約１６１４が「録画済」の場合、録画されていることになる。
次に、表示依頼を受けた録画予約番組表示部１３００は、番組情報記憶部１６００に記憶されている録画番組情報１６１０（図１５参照）のうち、本日以降の録画予定の番組を読み出し、録画予約画面２３００を表示する。
【０１０９】
チャット表示部１９５０は、チャットウインドウを表示する。
これで、番組一覧画面２０００が、表示される。
ここで、視聴者は、ランキング画面２２００に表示されている番組であって、録画済マークのついた番組は、再生させて視聴することができる。この際、例えば、リモコンのボタン操作により、番組の最初から再生させて視聴することも、評価の高かったコーナから再生させて視聴することも可能である。
【０１１０】
具体的には、視聴者のボタン操作を検出したユーザインターフェース部１０１０が、番組録画再生部１０２０に指示を出し、録画されている番組を再生する。再生する番組およびコーナの開始時間は、ユーザインターフェース部１０１０がランキング表示部１２００で表示している情報から抽出し、番組録画再生部１０２０に渡す。
次に、プロファイル画面２１００のグラフを編集し、編集後のプロファイルの視聴者に対し番組ランキング画面２２００を再表示する処理について説明する。
【０１１１】
プロファイル画面２１００に表示されているグラフ（図２および図３参照）を、編集する（ステップＳ４５）。例えば、「昼」の値を上げることで、昼に多く番組を見ている視聴者のプロファイルに変えることができる。
編集後、視聴者の番組ランキング画面２２００の再表示指示（ステップＳ４６）を受けた録画再生装置１０００は、プロファイル情報記憶部１５００に記憶されているプロファイルグラフ情報１５２０から、最も近いグラフとなるプロファイルタイプを判断し、編集後のプロファイルタイプとする（ステップ４７）。
【０１１２】
その後、録画再生装置１０００は、編集後のプロファイルでのランキング番組の表示をランキング表示部１２００に依頼する。依頼を受けたランキング表示部１２００は、ランキング画面２２００を表示する（ステップＳ４８）。ランキング表示部の処理は、ステップＳ４４で行う処理と同様である。異なるのは、プロファイル情報１５１０のプロファイルタイプを用いるのではなく、編集後のプロファイルタイプを用いる点のみである。
【０１１３】
図１８は、チャットを行う場合の処理を示す。
まず、録画再生装置１０００で、番組の再生を開始する（ステップＳ２０）。
ここでの再生は、原則として、放映されている番組を受信し再生する場合とする。視聴者にとっての、番組の進み具合を、合わせるためである。但し、録画されている番組を再生する場合であっても、開始時間が視聴者にとって同じ時間になるような場合は、ここでの再生に含まれる。
【０１１４】
番組を見ている視聴者からの、チャットを行う旨の指示（ステップＳ２１）を受けた録画再生装置１０００は、チャット表示部１９５０に対して、チャット画面２９５０に会話を表示する旨の依頼を行う。
チャット画面に会話の表示依頼を受けたチャット表示部１９５０は、サービス提供装置５０００のチャットサーバ部５９５０に登録依頼をする（ステップＳ２２）。  
【０１１５】
この登録依頼をする際、再生している番組の番組ＩＤ９１０１と、プロファイル情報１５１０のユーザＩＤを送信する。
チャットへの登録依頼を受けたチャットサーバ部５９５０は、受け取った番組ＩＤの番組に対するチャットルームが開設されているかを確認し、開設されている場合は、受け取ったユーザＩＤを登録する。該当するチャットルームが開設されていない場合には、チャットルーム開設後、ユーザＩＤを登録する（ステップＳ２３）。
【０１１６】
受け取ったユーザＩＤをチャットルームに登録したチャットサーバ部５９５０は、登録が完了した旨を録画再生装置１０００に通知する（ステップＳ２４）。
ユーザＩＤの登録の通知を受けた録画再生装置１０００は、チャット表示部１９５０にその旨を伝え、チャットをはじめる準備が完了する。
チャット画面に、ユーザＩＤの別名等が表示され、視聴者は他の視聴者とチャットを行う（ステップＳ２８）。
【０１１７】
チャットを行った後に、視聴者のチャットを終了する旨の指示を受け取った（ステップＳ２９）録画再生装置１０００は、その旨をチャットサーバ部５９５０に通知する（ステップＳ３０）。この通知の際、ユーザＩＤを通知する。
チャットを終了する旨の通知を受けたチャットサーバ部５９５０は、送られてきたユーザＩＤを登録から外し（ステップＳ３１）、チャットが終了する。
【０１１８】
チャットサーバ部５９５０は、チャットの会話を視聴者から受け取る毎に、評価情報１４１０（図１２参照）を作成し、ランキング作成部５４００に送る。
ここで作成する評価情報１４１０の面白ボタン押下回数１４１４は、「１」とする。また、開始後時間１４１３は、サービス提供装置５０００から受け取る。サービス提供装置５０００が番組の放送開始からの時間を保持しているものとする。
【０１１９】
評価情報１４１０を受け取ったランキング作成部５４００は、録画再生装置１０００から送信されてきた評価情報１４１０と同様の処理を行い、全ランキング情報５５１０に反映する（図１６のステップＳ１３参照）。
＜補足＞
以上、本発明に係る番組選択システムについて実施形態に基づいて説明したが、部分的に変形することもでき、本発明は上述の実施形態に限られないことは勿論である。
（１）実施形態では、チャットを行う際の文字入力媒体は、キーボードを使用する事となっているが、他の文字入力媒体であってもよい。例えば、携帯電話機を用いることとしてもよい。この場合、携帯電話機と録画再生装置は無線でデータのやり取りを行えるようにしておく必要がある。
（２）実施形態では、視聴者の属性情報は、録画再生装置とサービス提供装置とに記憶しているが、サービス提供装置のみに記憶しておくこととしてもよい。
【０１２０】
この場合、録画再生装置を識別する識別子を設け、この識別子とこの装置の視聴者の属性情報を対応させてサービス提供装置に記憶しておく必要がある。
（３）実施形態では、視聴者のプロファイルをタイプ別に分類し、そのタイプが同じである場合に、視聴者の属性が同じであると判断しているが、他の方法で、視聴者の属性が同じであると判断することとしてもよい。
【０１２１】
例えば、視聴者のプロファイルの項目を点数化し、その合計の値と他の視聴者の値との差が一定の値より小さければ、視聴者の属性が同じであると判断するなどである。
（４）実施形態では、番組ランキング画面に番組を表示する場合、表示する番組に限定を加えてもよい。例えば、録画されている番組には「録」と記しているが、ここに表示する番組は、全て録画済の番組とすることとしてもよい。
【０１２２】
この場合、番組選択部１８００で、録画番組情報１６１０の録画予約１６１４が「録画済」の番組のみを選択すればよい。すぐにランキング番組を視聴できるという利点がある。
（５）実施形態では、全ランキング情報から番組を削除するのは、その番組の放送日後一ヶ月としているが、この期間は、ニュースの場合は1週間とするなど、番組のジャンルごとに変える等してもよい。また、放送日を基準としなくてもよい。またさらに、別の規則で番組を削除してもよい。例えば、放送日から一週間以内のボタンの押下回数がゼロの場合には、削除するなどである。
（６）実施形態では、番組一覧画面表示指示（図１７、ステップＳ４０参照）があった時にのみービス提供装置５０００に対してランキング情報１７１０の送信要求を送っているが、番組ランキング画面の再表示指示（ステップＳ４６参照）を受け付けた際にもサービス提供装置５０００に対してランキング情報１７１０の送信要求を送ってもよい。この場合、要求するプロファイルタイプを示してランキング情報の要求を行うことで、送受信するデータ量及びサービス提供装置での処理量を減らすことが可能なるという利点がある一方で、多くの録画再生装置からの要求が集中しトラフィックが混雑する可能性もある。
（７）実施形態では、録画再生装置１０００の視聴者は、説明の便宜上、一人の場合を想定しているが、家族構成等によって視聴者が複数いる場合であってもよい。
【０１２３】
この場合は、それぞれの個人を識別するＩＤや、個人専用のリモコンなどにより識別する必要がある。
また、本発明を、一般家庭内におけるネットワークに適用し、さらに、各家庭の評価をホームサーバで集計等し、その結果を、外部のサーバに送ることとしてもよい。すなわち、実施形態では、各録画再生装置１０００からサービス提供装置５０００に評価を送信することとしているが、この場合は、各家庭で集計された評価を送信することとなる。
【０１２４】
本発明を一般家庭におけるネットワークに適用した場合には、例えば、家族の誰かが面白いと思ったコーナのみを、帰宅後の父親がまとめて視聴できるなどの利点がある。
（８）実施形態で示した番組選択システムの各機能を実現させる為の各制御処理（図１６等参照）をＣＰＵに実行させる為のプログラムを、記録媒体に記録し又は各種通信路等を介して、流通させ頒布することもできる。このような記録媒体には、ＩＣカード、光ディスク、フレキシブルディスク、ＲＯＭ、フラッシュメモリ等がある。流通、頒布されたプログラムは、機器におけるＣＰＵで読み取り可能なメモリ等に格納されることにより利用に供され、そのＣＰＵがそのプログラムを実行することにより実施形態で示した番組選択システムの各機能が実現される。
（９）上述の実施形態の録画再生装置１０００において、番組選択部１８００等は、集積回路で構成されていると説明したが、これらは、個別に１チップ化されていてもよい。また、これらの機能部だけでなく、図４に示す他の機能部を、番組選択部１８００等と共に１チップ化した集積回路を用いてもよい。
【０１２５】
また、同様に、サービス提供装置５０００においても、ランキング作成部５４００等は、集積回路で構成されていると説明したが、これらは、個別に１チップ化されていてもよい。また、これらの機能部だけでなく、図５に示す他の機能部を、ランキング作成部５４００等と共に１チップ化した集積回路を用いてもよい。
なお、集積回路は、素子の集積度によってＩＣ、ＬＳＩと呼称されることもある。
【０１２６】
また、集積回路デバイスとして、専用回路、汎用プロセッサを用いてもよいし、アーキテクチャの変更が可能なＦＰＧＡ（Ｆｉｅｌｄ  Ｐｒｏｇｒａｍｍａｂｌｅ  Ｇａｔｅ  Ａｒｒａｙ）、リコンフィギュラブル・プロセッサ（Ｒｅｃｏｎｆｉｇｕｒｅａｂｌｅ  Ｐｒｏｃｅｓｓｏｒ）を用いてもよく、更には、技術進歩によって半導体集積回路に置き換わる別のものが考案されれば、当然そのものを用いてもよい。例えば、バイオ技術を利用した集積回路が考えられる。
【産業上の利用可能性】
【０１２７】
視聴者の嗜好により合った番組を提示するだけでなく、番組に対する評価を視聴者のプロファイルタイプ別に調査し、番組作成等に反映させるための技術として有用である。
【図面の簡単な説明】
【０１２８】
【図１】番組選択システムの全体図である。
【図２】録画再生装置のディスプレイに表示される番組一覧画面例を表す図である。
【図３】プロファイル画面２１００の表示例を表す図である
【図４】録画再生装置の構成を示す機能ブロック図である。
【図５】サービス提供装置の構成を示す機能ブロック図である。
【図６】番組情報の構成及び内容例を示す図である。
【図７】コーナ情報の構成及び内容例を示す図である。
【図８】プロファイル情報の構成及び内容例を示す図である。
【図９】プロファイルタイプ情報の構成及び内容例を示す図である。
【図１０】プロファイルタイプ一覧表の構成及び内容例を示す図である。
【図１１】プロファイルグラフ情報の構成及び内容例を示す図である。
【図１２】評価情報の構成及び内容例を示す図である。
【図１３】全ランキング情報の構成及び内容例を示す図である。
【図１４】ランキング情報の構成及び内容例を示す図である。
【図１５】録画番組情報の構成及び内容例を示す図である。
【図１６】視聴者が面白ボタンを押下し、番組のランキングに反映されるまでの処理を示すフローチャートである。
【図１７】番組一覧画面２０００を表示し、プロファイルを編集して番組ランキング画面２２００を再表示させる処理を示すフローチャートである。
【図１８】チャットを行う場合の処理を示すフローチャートである。
【符号の説明】
【０１２９】
１０００    録画再生装置
１１００    プロファイル情報表示編集部
１２００    ランキング表示部
１３００    録画予約番組表示
１３００    録画予約番組表示部
１４００    評価情報入力部
１４１０    評価情報
１５００    プロファイル情報記憶部
１５１０    プロファイル情報
１５２０    プロファイルグラフ情報
１６００    番組情報記憶部
１６１０    録画番組情報
１７００    ランキング情報記憶部
１７１０    ランキング情報
１８００    番組選択部
１９００    送受信部
１９５０    チャット表示部
２０００    番組一覧画面
２１００    プロファイル画面
２２００    番組ランキング画面
２３００    録画予約画面
２９５０    チャット画面
４０００    ネットワーク
５０００    サービス提供装置
５１００    全プロファイル情報記憶部
５１５０    プロファイルタイプ情報
５１６０    プロファイルタイプ一覧表
５２００    プロファイル情報収集部
５４００    ランキング作成部
５５００    全ランキング情報記憶部
５５１０    全ランキング情報
５６００    ランキング情報抽出部
５７００    送受信部
５８００    番組情報記憶部
５９５０    チャットサーバ部
８０００    信号
９０００    放送局
９１００    番組情報
９２００    コーナ情報
【図１】
0004783283.tif 000002
【図２】
0004783283.tif 000003
【図３】
0004783283.tif 000004
【図４】
0004783283.tif 000005
【図５】
0004783283.tif 000006
【図６】
0004783283.tif 000007
【図７】
0004783283.tif 000008
【図８】
0004783283.tif 000009
【図９】
0004783283.tif 000010
【図１０】
0004783283.tif 000011
【図１１】
0004783283.tif 000012
【図１２】
0004783283.tif 000013
【図１３】
0004783283.tif 000014
【図１４】
0004783283.tif 000015
【図１５】
0004783283.tif 000016
【図１６】
0004783283.tif 000017
【図１７】
0004783283.tif 000018
【図１８】
0004783283.tif 000019